(57)【特許請求の範囲】
【請求項１】
複数の異なる無線ネットワークを経由してインターネット上のサーバと接続され、前記サーバにアクセスする受信端末と前記サーバとの間に介在して前記受信端末と前記サーバとの間の通信の中継を行い、かつ、前記受信端末とともに移動体内に設置された無線中継装置であって、
前記受信端末およびその通信種別に応じて設定され、前記受信端末が前記サーバと通信をする際に、前記複数の無線ネットワークにそれぞれ対応する複数の無線アクセス回線のうちのいずれを使用して通信すべきかを規定した選択ポリシーテーブルを記憶する選択ポリシーデータベースと、
前記受信端末からの通信セッションの確立要求に応じて、前記選択ポリシーテーブルを参照し、当該受信端末およびその通信種別に対応する無線アクセス回線を選択して通信セッションを確立し、前記受信端末から前記サーバへのパケットの送信を中継する第１の中継部と、
既に確立され維持されている通信セッションに関するセッション情報を通信セッション毎に管理するセッション管理テーブルを記憶するセッションデータベースと、
前記サーバから前記受信端末へのパケットの送信を中継する第２の中継部と、
前記セッションデータベースにて管理された前記通信セッション毎に与えられた前記サーバから前記受信端末へのトラヒック情報に基づき、前記通信セッション毎のトラヒックの有無を判定し、トラヒックがないと判定した通信セッションについては、さらに、前記無線アクセス回線毎にその通信状態が良好か否かの情報を与える通信状態情報に基づき、当該通信セッションで使用されている無線アクセス回線の通信状態が良好か否かを判定し、当該無線アクセス回線の通信状態が良好でない場合には、当該通信セッションの切断および当該無線アクセス回線から通信状態が良好な別の無線アクセス回線への切替を判断する切替判断部と、
この切替判断部からの切替指示に応じて、前記第１の中継部を介して当該通信セッションを切断し、前記選択ポリシーテーブルにおいて当該通信セッションを通信に使用していた前記受信端末およびその通信種別に対応する無線アクセス回線の設定を前記通信状態が良好な別の無線アクセス回線へ変更する更新をする切替制御部と、
を備えることを特徴とする無線中継装置。
【請求項２】
前記切替判断部は、前記第１の中継部から通知された前記通信セッションの確立情報または削除情報に基づき、前記セッション管理テーブルの内容を追加または削除する更新をすることを特徴とする請求項１に記載の無線中継装置。
【請求項３】
前記無線アクセス回線毎の通信状態情報として前記各無線アクセス回線が通信圏内にありその通信状態が良好であるかまたは通信圏内ではあるがエリア端にあってその通信状態が良好ではないかの通信エリア情報を管理するエリア管理テーブルを記憶するエリアデータベースを備えることを特徴とする請求項１または２に記載の無線中継装置。
【請求項４】
前記サーバから前記受信端末へ送信されるパケットを前記第２の中継部で中継する際に、当該パケットを解析し前記通信セッション毎のトラヒック量を前記トラヒック情報として取得するトラヒック監視部を備えることを特徴とする請求項１〜３のいずれか１項に記載の無線中継装置。
【請求項５】
前記トラヒック監視部は、前記サーバから前記受信端末へ送信されるパケットを前記第２の中継部で中継する際に、当該パケットを解析し前記通信セッション毎のトラヒック量および通信サイズを表す通信Ｌｅｎｇｔｈ情報を取得し、
前記切替判断部は、前記セッション毎の受信したトラヒック量の総和を算出した後、前記セッション毎に前記トラヒック量の総和と前記通信Ｌｅｎｇｔｈとを比較し、前記トラヒック量の総和が前記通信Ｌｅｎｇｔｈ以上であれば、当該通信セッションのトラヒックはないと判断することを特徴とする請求項４に記載の無線中継装置。
【請求項６】
前記セッション管理テーブルには、管理する通信セッション毎に通信の優先度を表す優先度情報が含まれており、
前記切替判断部は、前記トラヒック情報に基づき、前記通信セッション毎のトラヒックの有無を判定し、前記トラヒックがないと判定した通信セッションについては、前記セッション管理テーブルの優先度情報を参照し、当該通信セッションと同じ無線アクセス回線を使用しかつ当該通信セッションの優先度よりも高優先の通信セッションが存在する場合には、前記トラヒック情報に基づき前記高優先の通信セッションのトラヒックが一定以上あるか否かを判定し、そのトラヒックが一定以上あるときには、当該通信セッションの切断および当該無線アクセス回線から別の無線アクセス回線への切替を判断し、前記切替制御部へ切替指示をすることを特徴とする請求項１〜５のいずれか１項に記載の無線中継装置。
【請求項７】
前記受信端末のＩＰアドレスおよび通信種別に対して優先度が設定された優先度管理テーブルを記憶する優先度データベースと、
前記優先度管理テーブルの設定管理を行う優先度管理部と、
を備え、
前記切替判断部は、前記通信セッションの確立時に前記第１の中継部から通知される前記受信端末のＩＰアドレスおよび通信識別情報をもとに、前記優先度管理テーブルを参照して、当該通信セッションに関するセッション情報として、当該受信端末のＩＰアドレス、当該通信識別情報、ならびに当該ＩＰアドレスおよび当該通信識別情報に対応する優先度情報を前記セッション管理テーブルに追加することを特徴とする請求項６に記載の無線中継装置。
【請求項８】
前記サーバから前記受信端末へ送信されるパケットを前記第２の中継部で中継する際に、当該パケットを解析し前記通信セッション毎のトラヒック量を前記トラヒック情報として取得するトラヒック監視部を備え、
前記切替判断部は、前記トラヒック量に基づき、前記高優先の通信セッションの通信帯域の総和と所定の規定帯域とを比較し、当該通信帯域の総和が前記規定帯域よりも大きいときには、当該通信セッションの切断および当該無線アクセス回線から別の無線アクセス回線への切替を判断することを特徴とする請求項６または７に記載の無線中継装置。
【請求項９】
前記サーバから前記受信端末へ送信されるパケットを前記第２の中継部で中継する際に、当該パケットを解析し前記通信セッション毎のトラヒック量を前記トラヒック情報として取得するトラヒック監視部を備え、
前記切替判断部は、前記トラヒック情報に基づき、前記通信セッション毎のトラヒックの有無を判定し、前記トラヒックがないと判定した通信セッションについては、前記トラヒック情報に基づいて前記無線アクセス回線毎の通信帯域使用量を算出し、当該通信セッションに使用されている無線アクセス通信回線の通信帯域使用量が第１の所定量より大きく、かつ、当該通信セッションに使用されている無線アクセス通信回線とは別の無線アクセス通信回線の通信帯域使用量が第２の所定量よりも小さい場合には、当該通信セッションの切断および当該無線アクセス回線から前記別の無線アクセス回線への切替を判断し、前記切替制御部へ切替指示をすることを特徴とする請求項１に記載の無線中継装置。
【請求項１０】
複数の異なる無線ネットワークを経由してインターネット上のサーバと接続され、前記サーバにアクセスする受信端末と前記サーバとの間に介在して前記受信端末と前記サーバとの間の通信の中継を行い、かつ、前記受信端末とともに移動体内に設置された無線中継装置の無線中継方法であって、
前記無線中継装置の切替判断部が、前記受信端末からの通信セッションの確立要求に応じて既に確立され維持されている通信セッション毎に与えられた前記サーバから前記受信端末へのトラヒック情報に基づき、前記通信セッション毎のトラヒックの有無を判定するステップと、
前記切替判断部が、前記トラヒックがないと判定した通信セッションについては、前記各無線ネットワークに対応する無線アクセス回線毎にその通信状態が良好か否かの情報を与える通信状態情報に基づき、当該通信セッションで使用されている無線アクセス回線の通信状態が良好か否かを判定するステップと、
前記切替判断部が、当該無線アクセス回線の通信状態が良好でない場合には、当該通信セッションの切断および当該無線アクセス回線から通信状態が良好な別の無線アクセス回線への切替を判断するするステップと、
前記無線中継装置の切替制御部が、前記切替判断部からの切替指示に応じて、前記通信セッションを切断するステップと、
前記切替制御部が、前記受信端末およびその通信種別に応じて設定され前記受信端末が前記サーバと通信をする際に前記複数の無線アクセス回線のうちのいずれを使用して通信すべきかを規定した選択ポリシーテーブルにおいて、前記通信セッションを通信に使用していた前記受信端末およびその通信種別に対応する無線アクセス回線の設定を前記通信状態が良好な別の無線アクセス回線へ変更する更新をするステップと、
を含むことを特徴とする無線中継方法。
【発明の詳細な説明】
【技術分野】
【０００１】
本発明は、サーバと受信端末との間の通信を中継する無線中継装置および無線中継方法に関する。
【背景技術】
【０００２】
従来のインターネットアクセスでは、プロトコルとしてＴＣＰ（Ｔｒａｎｓｍｉｓｓｉｏｎ  Ｃｏｎｔｒｏｌ  Ｐｒｏｔｏｃｏｌ）が頻繁に用いられている。ＴＣＰは、信頼性と効率の良い通信を実現するプロトコルであり、信頼性のある通信を実現するため確認応答の機能を有している。また、ＨＴＴＰ（ＨｙｐｅｒＴｅｘｔ  Ｔｒａｎｓｆｅｒ  Ｐｒｏｔｏｃｏｌ）においてもトランスポート・プロトコルとして通常ＴＣＰを使用する。ＴＣＰによる通信では、データ送受信のため、ＴＣＰセッションをクライアントとサーバ間で確立し、ＴＣＰセッション確立後にデータ送受信を行う。また、データ送受信が完了した後も、確立されたＴＣＰセッションを効率的に利用するために、ＴＣＰセッションは、一定期間維持され、次回通信に備えている。
【０００３】
しかしながら、有線での通信に比べ無線通信の通信帯域は時間や環境に応じて変化し、一般に通信可能エリアと通信可能でないエリアが存在することから、一定期間維持されるＴＣＰセッションを切り替えることが考えられ、例えば複数の無線アクセス回線を使用して通信を行うマルチホーミングが考えられている。なお、従来のマルチホーミングでは、複数の無線アクセス回線を同時には使用せず、最初は一の無線アクセス回線で通信を行い、その無線アクセス回線が使用できなくなった場合は、別の無線アクセス回線に切り替えている。
【０００４】
また、特許文献１では、無線アクセス回線を切り替える従来技術として、例えば携帯電話網の圏外となった移動端末（携帯電話）が無線ＬＡＮの圏内で無線アクセス回線の切替を判断すると、移動先のアクセス網（無線ＬＡＮ）を介して移動前のセッション情報と新規ＩＰアドレスをサーバに通知することで、セッションの継続を可能とする技術が開示されている。
【先行技術文献】
【特許文献】
【０００５】
【特許文献１】特開２００４−２６５３５４号公報
【発明の概要】
【発明が解決しようとする課題】
【０００６】
先に記載したとおり、データ送受信が終了した場合でも、一般的にセッションを効率的に利用するためにＴＣＰセッションは一定期間維持され、クライアントからの新たなアクセス要求時に既に存在するＴＣＰセッションを使用してデータの送受信が行なわれることになる。
【０００７】
しかしながら、このような従来の技術では、ある無線アクセス回線で通信している通信セッションを維持したまま通信が困難なエリアにクライアントが移動した場合、クライアントからのアクセス要求により、当該通信セッションによりデータの送受信を行なうことになるが、当該エリアは通信が困難なエリアであるため通信の継続が困難になるという問題があった。
【０００８】
また、ある無線アクセス回線内に複数の通信セッションが存在し、その中で優先度の高い通信のセッションと優先度の低い通信のセッションが存在していた場合に、優先度の低い通信のセッションに対してクライアントからのアクセス要求が行なわれると、優先度の高い通信の帯域を圧迫してしまうといった問題があった。
【０００９】
また、上記特許文献１の技術では、通信セッションの切替を行う際に、クライアント（移動端末）はサーバに対して移動前のセッション情報および新規ＩＰアドレスを通知し、クライアントとサーバはそれぞれ所定の機能に基づいて連携した処理を行うことで中断のない通信の継続を実現する。すなわち、特許文献１では、移動端末とサーバが連携して動作することによりセッションの切替が実現される。したがって、特許文献１の技術は、このような連携処理を行わない一般のサーバには適用されない。また、特許文献１では、複数の無線アクセス回線を同時に使用することは考えられていない。
【００１０】
本発明は、上記に鑑みてなされたものであって、サーバおよび受信端末に機能追加をすることなく、サーバ−受信端末間の通信で使用可能な複数の無線アクセス回線を適時に切り替えて選択することにより、サーバ−受信端末間のデータ送受信を中断することなく安定したデータ送受信を実現することが可能な無線中継装置および無線中継方法を提供することを目的とする。
【課題を解決するための手段】
【００１１】
上述した課題を解決し、目的を達成するために、本発明に係る無線中継装置は、複数の異なる無線ネットワークを経由してインターネット上のサーバと接続され、前記サーバにアクセスする受信端末と前記サーバとの間に介在して前記受信端末と前記サーバとの間の通信の中継を行い、かつ、前記受信端末とともに移動体内に設置された無線中継装置であって、前記受信端末およびその通信種別に応じて設定され、前記受信端末が前記サーバと通信をする際に、前記複数の無線ネットワークにそれぞれ対応する複数の無線アクセス回線のうちのいずれを使用して通信すべきかを規定した選択ポリシーテーブルを記憶する選択ポリシーデータベースと、前記受信端末からの通信セッションの確立要求に応じて、前記選択ポリシーテーブルを参照し、当該受信端末およびその通信種別に対応する無線アクセス回線を選択して通信セッションを確立し、前記受信端末から前記サーバへのパケットの送信を中継する第１の中継部と、既に確立され維持されている通信セッションに関するセッション情報を通信セッション毎に管理するセッション管理テーブルを記憶するセッションデータベースと、前記サーバから前記受信端末へのパケットの送信を中継する第２の中継部と、前記セッションデータベースにて管理された前記通信セッション毎に与えられた前記サーバから前記受信端末へのトラヒック情報に基づき、前記通信セッション毎のトラヒックの有無を判定し、トラヒックがないと判定した通信セッションについては、さらに、前記無線アクセス回線毎にその通信状態が良好か否かの情報を与える通信状態情報に基づき、当該通信セッションで使用されている無線アクセス回線の通信状態が良好か否かを判定し、当該無線アクセス回線の通信状態が良好でない場合には、当該通信セッションの切断および当該無線アクセス回線から通信状態が良好な別の無線アクセス回線への切替を判断する切替判断部と、この切替判断部からの切替指示に応じて、前記第１の中継部を介して当該通信セッションを切断し、前記選択ポリシーテーブルにおいて当該通信セッションを通信に使用していた前記受信端末およびその通信種別に対応する無線アクセス回線の設定を前記通信状態が良好な別の無線アクセス回線へ変更する更新をする切替制御部と、を備えることを特徴とする。
【発明の効果】
【００１２】
本発明によれば、サーバおよび受信端末に機能追加をすることなく、サーバ−受信端末間の通信で使用可能な複数の無線アクセス回線を適時に切り替えて選択することにより、サーバ−受信端末間のデータ送受信を中断することなく安定したデータ送受信を実現することができる、という効果を奏する。
【図面の簡単な説明】
【００１３】
【図１】図１は、実施の形態１の無線中継装置を含む無線通信システムの構成例を示す図である。
【図２】図２は、選択切替部の構成例を示す図である。
【図３】図３は、選択切替処理を示すシーケンス図である。
【図４】図４は、実施の形態１に係る無線中継装置による選択切替処理を説明するためのフローチャートである。
【図５−１】図５−１は、実施の形態１において図４に続く処理を示すフローチャートである。
【図５−２】図５−２は、実施の形態２において図４に続く処理を示すフローチャートである。
【図６−１】図６−１は、実施の形態３において図４に続く処理を示すフローチャートである。
【図６−２】図６−２は、実施の形態４において図４に続く処理を示すフローチャートである。
【図７】図７は、選択ポリシーＤＢに記憶されたテーブル（選択ポリシーテーブル）の一例を示す図である。
【図８】図８は、セッションＤＢに記憶されたテーブル（セッション管理テーブル）の一例を示す図である。
【図９】図９は、エリアＤＢに記憶されたテーブル（エリア管理テーブル）の一例を示す図である。
【図１０】図１０は、優先度ＤＢに記憶されたテーブル（優先度管理テーブル）の一例を示す図である。
【発明を実施するための形態】
【００１４】
以下に、本発明に係る無線中継装置および無線中継方法の実施の形態を図面に基づいて詳細に説明する。なお、この実施の形態によりこの発明が限定されるものではない。
【００１５】
実施の形態１．
図１は、本実施の形態の無線中継装置を含む無線通信システムの構成例を示す図である。無線通信システムは、サーバ１と、このサーバ１が接続されたＩＰ（Ｉｎｔｅｒｎｅｔ  Ｐｒｏｔｏｃｏｌ）網（ＩＰネットワーク）２と、ＩＰ網２に接続されたゲートウェイ（ＧＡＴＥＷＡＹ）３−１，３−２と、ゲートウェイ３−１，３−２にそれぞれ接続された無線システム４−１，４−２と、無線システム４−１，４−２がそれぞれ接続可能な無線ネットワーク５−１、５−２と、無線ネットワーク５−１、５−２にそれぞれ接続可能な無線中継装置６と、無線中継装置６に接続された受信端末７−１，７−２とを備える。また、無線中継装置６は、無線インターフェース６−１，６−２と、選択切替部６−３とを備える。
【００１６】
受信端末７−１，７−２は、サーバ１との通信において、通信プロトコルとしてＴＣＰを用いる。受信端末７−１，７−２からサーバ１へのＴＣＰパケットの伝送経路について説明する。受信端末７−１，７−２は、ＴＣＰパケットを、無線中継装置６に送信する。無線中継装置６は、受信端末側からのＴＣＰパケットを、無線インターフェース６−１，６−２を用いて、無線ネットワーク５−１，５−２を介して無線システム４−１，４−２に送信する。無線システム４−１，４−２は、受信したＴＣＰパケットをゲートウェイ３−１，３−２、およびＩＰ網２を介して、サーバ１に送信する。サーバ１から受信端末７−１，７−２へのＴＣＰパケットの伝送経路は上記と逆である。すなわち、サーバ１は、ＴＣＰパケットを、ＩＰ網２、およびゲートウェイ３−１，３−２を介して、無線システム４−１，４−２に送信する。無線システム４−１，４−２は、受信したＴＣＰパケットを、無線ネットワーク５−１，５−２を介して無線中継装置６に送信する。無線中継装置６は、サーバ側からのＴＣＰパケットを、無線インターフェース６−１，６−２を用いて受信し、これを受信端末７−１，７−２に送信する。
【００１７】
また、無線中継装置６は、例えば車または列車などの移動体内に設置することができる。受信端末７は、無線中継装置６に接続可能な例えば固定端末とすることができる。
【００１８】
なお、サーバ１と受信端末７−１，７−２間の通信において、無線ネットワーク５−１，５−２のいずれを使用するのかは、受信端末７−１，７−２からの通信確立時の通信内容によりＴＣＰセッション毎に決められ、通信データはその通信が完了するまで同じ無線ネットワークの通信経路を経由して伝送される。
【００１９】
また、無線中継装置６は、サーバ１と受信端末７−１，７−２との通信を中継する装置である。無線中継装置６の選択切替部６−３は、受信端末７−１，７−２とサーバ１との通信をＴＣＰセッション単位で監視し、通信に使用される無線ネットワーク５−１，５−２の切替が行われる場合には、サーバ１および受信端末７−１，７−２に対してＴＣＰ−ＲＳＴパケットを送信する。
【００２０】
なお、図１では、一例として、サーバ１を１台としているが、複数台存在してもよい。また、受信端末７−１，７−２を２台としているが、１台であっても、３台以上存在してもよい。このような無線通信システムでは、無線ネットワーク５を用いてデータパケットを送受信するが、無線ネットワーク５は有線ネットワークと比較して伝送損失率が高く、帯域の変動が頻繁に発生し、通信可能なエリアが限定されており、伝送品質が低い。
【００２１】
次に、無線中継装置６内の選択切替部６−３の構成について説明する。図２は、選択切替部６−３の構成例を示す図である。図２に示すように、選択切替部６−３は、中継部２０２，２０３と、優先度管理部２０４と、切替判断部２０５と、切替制御部２０６と、トラヒック監視部２０７と、優先度ＤＢ（データベース）２０８と、セッションＤＢ２０９−１と、エリアＤＢ２０９−２と、選択ポリシーＤＢ２１０と、を備える。
【００２２】
中継部２０２は、受信端末７からのＴＣＰセッション確立要求に応じて、どの無線アクセス回線を使用するのかを選択ポリシーＤＢ２１０に記憶された設定情報を参照して決定し、ＴＣＰセッションの確立を行う。ここで、受信端末７−サーバ１間の通信において、無線ネットワーク５−１を経由する通信経路を無線アクセス回線Ａ１とし、無線ネットワーク５−２を経由する通信経路を無線アクセス回線Ａ２とする。中継部２０２は、ＴＣＰセッションの管理のために切替判断部２０５にＴＣＰセッションの確立または切断を通知する。なお、以下では、ＴＣＰセッションを通信セッションまたは単にセッションともいう。
【００２３】
中継部２０２は、受信端末７から送信されたＴＣＰパケットを無線アクセス回線Ａ１またはＡ２を経由してサーバ１に送信する。また、中継部２０２は、切替制御部２０６から送信されたＴＣＰパケット（ＴＣＰ−ＲＳＴパケット）を無線アクセス回線Ａ１またはＡ２を経由してサーバ１に送信する。
【００２４】
中継部２０３は、サーバ１から送信された受信端末７宛のＴＣＰパケットを、受信端末７に送信する。また、中継部２０３は、サーバ１側から送信されたＴＣＰパケットが、自分宛の通信エリア情報であれば、これを制御情報として切替判断部２０５に通知し、切替判断部２０５はこの通信エリア情報をエリアＤＢ２０９−２に格納する。本実施の形態では、通信エリア情報は例えば無線中継装置６外から提供される。
【００２５】
トラヒック監視部２０７は、例えば中継部２０３内に設けられて、ＴＣＰセッション毎にトラヒック量を監視し、通信の有無および通信帯域を計算する。すなわち、トラヒック監視部２０７は、サーバ１側から受信したＴＣＰパケットを解析し、一定期間のトラヒック量をもとに単位時間当たりのトラヒック量として通信帯域を計算する。トラヒック監視部２０７は、トラヒック量（トラヒック情報）を切替判断部２０５に通知する。
【００２６】
優先度管理部２０４は、ユーザの設定またはデフォルトの設定に基づき、ＴＣＰパケットの優先度を管理し、この優先度情報を優先度ＤＢ２０８に格納している。
【００２７】
切替判断部２０５は、中継部２０２により通知されたセッションの確立およびセッションの切断の情報を基に、通信に使用されているセッションの管理を行う。具体的には、切替判断部２０５は、確立されたセッションの情報をセッション管理テーブルとしてセッションＤＢ２０９−１に格納している。後述するように、セッション管理テーブルには、セッション毎の優先度も設定されている。切替判断部２０５は、優先度ＤＢ２０８の設定情報に基づきセッションＤＢ２０９−１のセッション管理テーブルの更新を行う。また、切替判断部２０５は、トラヒック監視部２０７からのトラヒック量、セッションＤＢ２０９−１に記憶されたセッション情報、およびエリアＤＢ２０９−２に記憶された通信エリア情報に基づき、セッションの切断および無線アクセス回線の切替判断を行う。そして、切替判断部２０５は、セッションの切断および無線アクセス回線の切替を行う場合は、その旨を切替制御部２０６に通知する。
【００２８】
切替制御部２０６は、セッションの切断を行なう際には、中継部２０２，２０３にそれぞれＴＣＰ−ＲＳＴパケットを送信する。中継部２０２は切替制御部２０６からのＴＣＰ−ＲＳＴパケットをサーバ１に送信し、中継部２０３は切替制御部２０６からのＴＣＰ−ＲＳＴパケットを受信端末７に送信する。また、切替制御部２０６は、次にセッションが確立する際には切断されたセッションで使用されていた無線アクセス回線とは別の無線アクセス回線が選択されるように選択ポリシーＤＢ２１０の設定情報を更新することで無線アクセス回線の選択切替処理を行う。
【００２９】
図３は、選択切替処理を示すシーケンス図である。図３は、上記図２での説明をシーケンス図にしたものであり、通信開始のＴ１では、選択ポリシーＤＢ２１０での無線アクセス回線の選択設定が無線アクセス回線Ａ１であり、かつ、受信端末７からのＴＣＰセッションの確立要求が２つであった場合の例である。なお、ＴＣＰセッションの確立要求が一つまたは３つ以上存在していてもよい。
【００３０】
中継部２０２は、受信端末７からのＴＣＰセッションの一つ目の確立要求により、選択ポリシーＤＢ２１０の設定情報に従い無線アクセス回線Ａ１を選択した後、ＴＣＰセッションの確立を行う（Ｓ１−１〜Ｓ１−３）。つづいて、当該セッションにより、サーバ１と受信端末７間で無線アクセス回線Ａ１を介してデータ送受信が行われる（Ｓ２）。中継部２０２は、受信端末７からのＴＣＰセッションの二つ目の確立要求により、選択ポリシーＤＢ２１０の設定情報に従い無線アクセス回線Ａ１を選択した後、ＴＣＰセッションの確立を行う（Ｓ３−１〜Ｓ３−３）。つづいて、当該セッションにより、サーバ１と受信端末７間で無線アクセス回線Ａ１を介してデータ送受信が行われる（Ｓ４）。Ｓ５では、データ送受信完了後、無線アクセス回線Ａ１が選択された状態で、セッションが確立され維持されていることを示している。
【００３１】
トラヒック監視部２０７は、中継部２０３より取得したＴＣＰパケットによりＴＣＰセッション単位でトラヒックを監視し、セッション毎のトラヒック量を算出し、一定時間内のトラヒック量により通信帯域を推定する（Ｓ６）。例えば１秒あたりのトラヒック量が０．５Ｍｂｙｔｅであれば、通信帯域は４．０Ｍｂｐｓとなる。
【００３２】
切替判断部２０５は、トラヒック監視部２０７からのトラヒック量、セッションＤＢ２０９−１に記憶されたセッション情報、およびエリアＤＢ２０９に記憶された通信エリア情報に基づき、無線アクセス回線の切替判定を実施する（Ｓ７）。その結果、切替判断部２０５は、切替と判断した場合には、切替制御部２０６にその旨の通知を行う。
【００３３】
切替制御部２０６は、サーバ１、受信端末７に対して中継部２０２，２０３経由でＴＣＰ−ＲＳＴパケットを送信しＴＣＰリセットを指示することで、セッションの切断を行なう（Ｓ７）。これにより、Ｔ２では、ＴＣＰリセットが実施される（Ｓ８−１〜Ｓ８−３）。さらに、切替制御部２０６は、次回セッション確立時に、無線アクセス回線Ａ１とは別の無線アクセス回線Ａ２を使用するよう、選択ポリシーＤＢ２１０の更新を行う（Ｓ９）。Ｓ１０では、ＴＣＰセッションの確立要求時に、選択される無線アクセス回線が無線アクセス回線Ａ２に切替えられた状態にあることを示している。そして、中継部２０２は、受信端末７からのＴＣＰセッションの確立要求により、選択ポリシーＤＢ２１０の設定情報に従い無線アクセス回線Ａ２を選択した後、ＴＣＰセッションの確立を行う（Ｓ１１−１〜Ｓ１１−３）。つづいて、当該セッションにより、サーバ１と受信端末７間で無線アクセス回線Ａ２を介してデータ送受信が行われる（Ｓ１２）。
【００３４】
図４は、本実施の形態に係る無線中継装置６による選択切替処理を説明するためのフローチャートであり、図５−１は、本実施の形態において図４に続く処理を示すフローチャートである。図４に示すように、まず、中継部２０２は、受信端末７（クライアント）からの通信開始要求により、受信端末７との間でＴＣＰセッションを確立する（Ｓ４１）。その際、中継部２０２は、受信端末７から受信したＴＣＰパケットのヘッダ領域から宛先および送信元ＩＰアドレスならびに宛先および送信元ポート番号等の通信情報を取得する。
【００３５】
次に、中継部２０２は、選択ポリシーＤＢ２１０に記憶された設定情報に従い、複数ある無線アクセス回線Ａ１，Ａ２のうちから一本の回線を選択し、サーバ１との間でＴＣＰセッションを確立し、その後、受信端末７―サーバ１間の通信が実施される（Ｓ４２）。また、中継部２０２は、セッションの確立を切替判断部２０５に通知し、確立したセッションに関するＩＰアドレスおよびポート番号等の情報を切替判断部２０５に送信する。ここで、図７は、選択ポリシーＤＢ２１０に記憶されたテーブル（選択ポリシーテーブル）の一例を示す図である。この選択ポリシーテーブルでは、受信端末７（クライアント）のＩＰアドレス、宛先ポート番号、および通信の種類に対して、選択される無線アクセス回線が設定されている。例えば、「クライアントＩＰアドレス」＝「ＡＡ．ＢＢ．ＣＣ．ＤＤ」、「宛先ポート番号」＝「８０」、「通信の種類」＝「Ｗｅｂアクセス」に対しては、無線アクセス回線Ａ１が設定されている。すなわち、選択ポリシーテーブルは、受信端末７を特定する情報（「クライアントＩＰアドレス」）およびその通信種別（「宛先ポート番号」、「通信の種類」等）毎に、選択すべき無線アクセス回線を設定する。中継部２０２は、ＴＣＰセッション確立時に、受信端末７から受信したＴＣＰパケットに含まれるクライアントＩＰアドレスおよび宛先ポート番号等の情報をもとに、選択ポリシーテーブルを参照し、当該受信端末７とその通信種別に対応する無線アクセス回線を選択することで、セッションを確立する。また、後述するように、切替制御部２０６は、切替実施時には本テーブルの「選択無線アクセス回線」の項を書き換えることで無線アクセス回線の切替を行なう。なお、図７に示す例には記載していないが、選択ポリシーテーブルに、宛先ＩＰアドレス、送信元ポート番号等を含めても良い。
【００３６】
次に、切替判断部２０５は、確立したＴＣＰセッションの情報（クライアントＩＰアドレス、送信元ポート番号、宛先ポート番号、通信の種類、ならびに、クライアントＩＰアドレスおよび送信元ポート番号により判定した優先度等）をセッションＤＢに格納することでセッションの管理を行う（Ｓ４３）。ここで、図８は、セッションＤＢ２０９−１に記憶されたテーブル（セッション管理テーブル）の一例を示す図である。図８に示すように、セッション管理テーブルでは、セッション一本単位で管理可能な構成とし、セッションを識別する管理番号毎に、クライアントＩＰアドレス、送信元ポート番号、および優先度等を一意に管理する構成とする。ここで、優先度は、優先度ＤＢ２０８にて設定された情報である。例えば、「管理番号」＝「１」に対しては、「クライアントＩＰアドレス」＝「ＡＡ．ＢＢ．ＣＣ．ＤＤ」、「送信元ポート番号」＝「１６００」および「優先度」＝「優先」であり、「優先」は「非優先」と比較して高優先であることを意味する。なお、図８のセッション管理テーブルでは、「宛先ポート番号」および「通信の種類」の項目を省略している。すなわち、管理番号毎に、例えば、クライアントＩＰアドレス、送信元ポート番号、宛先ポート番号、通信の種類および優先度等を一意に管理する構成とすることができる。また、図１０は、優先度ＤＢ２０８に記憶されたテーブル（優先度管理テーブル）の一例を示す図である。優先度管理テーブルは、ユーザによりまたはデフォルトで設定され、クランアント（送信元）ＩＰアドレスと宛先ポート番号とに対して優先度を設定する。なお、図示例では、優先度は「優先」または「非優先」のいずれかに設定されているが、三つ以上の優先クラスを設定することもできる。優先度管理テーブルは、セッション毎の優先度を決めるためのテーブルである。切替判断部２０５は、中継部２０２からＴＣＰセッションの確立情報を得ると、優先度管理部２０４を介して優先度管理テーブルを参照し、当該セッションのクライアントＩＰアドレスおよび宛先ポート番号に対応する優先度情報を取得し、これをクライアントＩＰアドレスおよび送信元ポート番号と合わせてセッション管理テーブルで管理する。また、切替判断部２０５は、中継部２０２によりＴＣＰセッションの切断情報が通知されると、切断するセッションの情報をセッション管理テーブルから削除する更新を行う。次に、切替判断部２０５は、切替判断処理を開始する（Ｓ４４）。
【００３７】
つづいて、図５−１に示すように、中継部２０２，２０３は、クライアント（受信端末７）−サーバ１間の通信を中継し、トラヒック監視部２０７は、セッション毎にトラヒック監視を行なうことでクライアント（受信端末７）−サーバ１間のトラヒック量を測定し、取得したセッション毎のトラヒック量を切替判断部２０５に通知する（Ｓ４５）。
【００３８】
切替判断部２０５は、セッション毎のトラヒック量を管理するとともに、トラヒック量に基づいてセッション毎のトラヒックの有無の判定を行なう（Ｓ４６）。ここで、セッション毎とは正確にはセッション管理テーブルで管理されているセッション毎である。切替判断部２０５は、トラヒックがあると判定した場合には（Ｓ４６，Ｙｅｓ）、Ｓ４７以下の処理を行うことなく、そのセッションについて引き続き監視を続ける。
【００３９】
切替判断部２０５は、トラヒックがないと判定した場合には（Ｓ４６，Ｎｏ）、通信が完了しているセッションであると判定し、さらに、エリアＤＢ２０９−２を参照し、当該セッションで使用されている無線アクセス回線が圏内にあって安定して使用できる状態（良好な通信状態が確保される状態）にあるのか、または、圏内ではあるがエリア端にあり安定して使用できない状態にあるのかを判定する（Ｓ４７）。すなわち、切替判断部２０５は、当該セッションが使用している無線アクセス回線について、通信エリアがエリア端であるかを判定する（Ｓ４７）。なお、無線アクセス回線を使用した通信の通信状態は、無線中継装置６の位置に応じて決まる。そして、切替判断部２０５は、当該無線アクセス回線がエリア端ではなく、無線アクセス回線を安定して使用できる状態にあれば（Ｓ４７，Ｎｏ）、Ｓ４８以下の処理を行うことなく、引き続き監視を続ける。ここで、エリアＤＢ２０９−２に格納された通信エリア情報の例について説明する。図９は、エリアＤＢ２０９−２に記憶されたテーブル（エリア管理テーブル）の一例を示す図である。図９に示すように、エリア管理テーブルは、無線アクセス回線毎のエリア情報を管理している。圏内は、無線中継装置６の位置が通信圏内にあり、したがって無線アクセス回線も通信圏内にあり、その無線アクセス回線は安定して使用できる状態であることを意味する。圏内（エリア端）は、無線中継装置６の位置が通信圏内ではあるが通信圏外に近いエリア端にあり、したがって無線アクセス回線もエリア端にあり、無線アクセス回線は安定して使用できる状態にないことを意味する。なお、本実施の形態では、少なくとも一の無線アクセス回線は安定して使用できる状態にあるとする。
【００４０】
切替判断部２０５は、Ｓ４７での判定の結果、当該無線アクセス回線を安定して使用できる状態ではない（すなわち、エリア端）と判断した場合（Ｓ４７，Ｙｅｓ）、切替制御部２０６に、該当するセッションの管理番号を通知し、そのセッションについて切断の実施および無線アクセス回線の切替の実施を通知する（Ｓ４８）。
【００４１】
切替制御部２０６は、通知された管理番号のセッションについて、中継部２０２，２０３を介して、ＴＣＰ−ＲＳＴパケットをサーバ１および受信端末７の双方に送信し、ＴＣＰリセットして当該セッションを切断し、さらに、選択ポリシーＤＢ２１０の選択ポリシーテーブルにおいて当該セッションを通信に使用していた受信端末７およびその通信種別に対する「選択無線アクセス回線」の設定を無線アクセス回線Ａ１から通信状態が良好な別の無線アクセス回線に変更する更新をする（Ｓ４９）。切替判断部２０５は、当該セッションをセッションＤＢ２０９−１の管理対象より削除する（Ｓ４９）。なお、本実施の形態では、切替制御部２０６は、セッション管理テーブルから該当するセッションを削除した後、選択ポリシーテーブルにおいて当該セッションを通信に使用していた受信端末７およびその通信種別に対する「選択無線アクセス回線」の設定を変更する更新をするが、切断されるセッションの無線アクセス回線と同じ無線アクセス回線の設定がされているところをすべて同様に変更することもできる。
【００４２】
以上説明したように、本実施の形態では、複数の無線アクセス回線を同時に使用し、受信端末７側に設けられた無線中継装置６にのみ無線アクセス回線の選択切替機能を付与する構成において、トラヒック監視部２０７ではセッション毎のトラヒック量を監視し、制御判断部２０５では、セッション管理テーブルにて管理されたセッション毎にトラヒックの有無を判定し、トラヒックが無いセッションに対しては、エリアＤＢ２０９−２のエリア管理テーブルを参照して、当該セッションで使用している無線アクセス回線の通信状態を確認し、当該無線アクセス回線がエリア端にあり安定して使用できる状態にない場合には、切替制御部２０６により、当該セッションを切断（リセット）するとともに、次のセッション確立時にはエリア端にはない別の無線アクセス回線を選択して通信ができるように選択ポリシーＤＢの該当箇所の無線アクセス回線の設定を変更することで無線アクセス回線の切替を実施するようにしている。
【００４３】
したがって、本実施の形態によれば、切断前のセッションと同一の受信端末７から同一の通信種別のアクセスに応じてセッションを確立する際に、エリア端にはない別の無線アクセス回線を選択して受信端末７−サーバ１間の通信が行われるので、安定したデータの送受信が可能となる。これに対して、従来の技術では、通信セッションを維持したままその無線アクセス回線では安定して通信をすることができないエリアに遷移した場合、クライアントが当該セッションにアクセスしたときに、クライアント（受信端末７）−サーバ１間のデータの送受信が困難になるという問題があった。本実施の形態は、このような問題を解消するものである。
【００４４】
以上のように、本実施の形態によれば、サーバ１および受信端末に選択切替機能を追加をすることなく、サーバ−受信端末間の通信で使用可能な複数の無線アクセス回線を適時に切り替えて選択することにより、サーバ−受信端末間のデータ送受信を中断することなく安定したデータ送受信を実現することができる。
【００４５】
実施の形態２．
実施の形態１では、図５−１のＳ４６にてトラヒックの有無を判定し、トラヒックがない場合には通信が完了していると判断した。ここで、トラヒックがない場合とは、例えば中継部２０３にてサーバ１から一定期間パケットが受信されない場合である。本実施の形態では、図５−１のＳ４６の判定処理の代わりに、サーバ１から受信端末７へ送信されるパケットの例えばヘッダに記載された送信データの通信サイズを表す通信Ｌｅｎｇｔｈ情報を取得し、この通信Ｌｅｎｇｔｈをトラヒック量と比較することにより、通信Ｌｅｎｇｔｈ以上のデータの受信が行なわれたか否かを判定して通信完了を判断する。なお、本実施の形態の構成は実施の形態１と同様であり、図１および図２を用いて説明したとおりである。
【００４６】
本実施の形態に係る無線中継装置６による選択切替処理を説明する。なお、図４のＳ４１〜Ｓ４４までの処理は、本実施の形態でも同様であるので説明を省略する。Ｓ４４以降の処理は、図５−２に示す処理に従う。図５−２は、本実施の形態において図４に続く処理を示すフローチャートである。
【００４７】
図５−２において、Ｓ４５−１では、中継部２０２，２０３は、クライアント（受信端末７）−サーバ１間の通信を中継し、トラヒック監視部２０７は、セッション毎にトラヒック監視を行なうことでクライアント（受信端末７）−サーバ１間のトラヒック量、および例えばＴＣＰパケットのヘッダ領域から通信サイズ情報（通信Ｌｅｎｇｔｈ情報）を取得し、取得したトラヒック量および通信Ｌｅｎｇｔｈ情報を切替判断部２０５に通知する。
【００４８】
つづいて、切替判断部２０５は、セッション毎にトラヒック量を管理するとともに、セッション毎に、受信したトラヒック量の総和（受信トラヒック量）を算出し、セッション毎に受信トラヒック量と通信Ｌｅｎｇｔｈとを比較する（Ｓ４６−１）。切替判断部２０５は、比較の結果、受信トラヒック量＜通信Ｌｅｎｇｔｈである場合には（Ｓ４６−１，Ｙｅｓ）、当該セッションは通信中と判断し、Ｓ４７以下の処理を行うことなく、引き続き監視を続ける。
【００４９】
一方、切替判断部２０５は、比較の結果、受信トラヒック量＜通信Ｌｅｎｇｔｈでない場合（Ｓ４６−１，Ｎｏ）、当該セッションは通信完了と判断し（すなわち、トラヒックがないと判断し）、Ｓ４７以下の処理を行う。なお、図５−２において、Ｓ４７〜Ｓ４９の各処理は図５−１の場合と同様であるので、同一の処理には同一の符号を付してその詳細な説明を省略する。
【００５０】
本実施の形態によれば、トラヒックの有無をより正確に判断することができ、実施の形態１と同様の効果を奏する。なお、本実施の形態のその他の動作等については実施の形態１と同様である。
【００５１】
実施の形態３．
実施の形態１、２では、通信セッションを維持したままの状態で、無線中継装置６の移動に伴い、そのセッションで使用されている無線アクセス回線が安定して通信をすることができないエリアに遷移した場合、クライアントが当該セッションにアクセスしたときには、クライアント（受信端末７）−サーバ１間のデータの送受信が困難になるという問題の解消法を示した。
【００５２】
ところで、無線アクセス回線内に複数の通信セッションが存在し、その中で優先度の高い通信のセッションと優先度の低い通信のセッションが存在していた場合、優先度の低い通信のセッションに対してクライアント（受信端末７）からのアクセス要求が行なわれると、優先度の高い通信の帯域を圧迫してしまうという問題がある。そこで、本実施の形態では、このよう問題の解消法について説明する。なお、本実施の形態の構成は、実施の形態１と同様であり、図１および図２を用いて説明したとおりである。
【００５３】
本実施の形態に係る無線中継装置６による選択切替処理を説明する。なお、図４のＳ４１〜Ｓ４４までの処理は、本実施の形態でも同様であるので説明を省略する。Ｓ４４以降の処理は、図６−１に示す処理に従う。図６−１は、本実施の形態において図４に続く処理を示すフローチャートである。
【００５４】
図６−１に示すように、中継部２０２，２０３は、クライアント（受信端末７）−サーバ１間の通信を中継し、トラヒック監視部２０７は、セッション毎にトラヒック監視を行なうことでクライアント（受信端末７）−サーバ１間のトラヒック量を測定し、取得したセッション毎のトラヒック量を切替判断部２０５に通知する（Ｓ５１）。
【００５５】
切替判断部２０５は、セッション毎のトラヒック量を管理するとともに、トラヒック量に基づいてセッション毎のトラヒックの有無の判定を行なう（Ｓ５２）。切替判断部２０５は、トラヒックがあると判定した場合は（Ｓ５２，Ｙｅｓ）、Ｓ５３−１以下の処理を行うことなく、引き続き監視を続ける。
【００５６】
一方、切替判断部２０５は、トラヒックがないと判定した場合（Ｓ５２，Ｎｏ）、当該トラヒックがないと判定したセッション、つまり通信の完了している当該セッション以外の他のセッションでかつ該セッションと同じ無線アクセス回線を使用しているものに対し、セッション毎に通信帯域を計算する（Ｓ５３）。この計算（推定）方法は、実施の形態１で説明したとおりである。
【００５７】
次に、切替判断部２０５は、セッション管理テーブルを参照し、通信帯域を計算したセッションの中で、優先度の高いセッションが存在する場合には（すなわち、「優先」が付与されたセッション（図８参照）。）、その優先度の高いセッションのトラヒック（優先トラヒック）の通信帯域を、所定の規定帯域（設定変更可能な固定値であり、ここではＣ（ｋｂｐｓ）とする。）と比較する（Ｓ５４）。なお、優先度の高いセッションが存在する複数存在する場合には、通信帯域は優先トラヒックについて加算されたもの（総和）である。そして、切替判断部２０５は、優先トラヒックの通信帯域が規定帯域Ｃよりも大きい場合は（Ｓ５４，Ｙｅｓ）、新たに優先度の低いトラヒックの通信が開始されると、現在通信中の優先トラヒックの通信を圧迫してしまうと判断し、Ｓ５５以下の処理を継続する。一方、切替判断部２０５は、優先トラヒックの通信帯域が規定帯域Ｃ以下である場合は（Ｓ５４，Ｎｏ）、新たに優先度の低いトラヒックの通信が開始されても、現在通信中の優先トラヒックの通信を圧迫してしまうと可能性は低いと判断し、Ｓ５５以下の処理を行うことなく、引き続き監視を続ける。
【００５８】
つづいて、切替判断部２０５は、優先トラヒックの通信帯域＞規定帯域Ｃである場合（Ｓ５４，Ｙｅｓ）において、当該セッションの管理番号を切替制御部２０６に通知し、その管理番号のセッションについて切断の実施および無線アクセス回線の切替の実施を通知する（Ｓ５５）。なお、この処理は、Ｓ５２にてトラヒックがないと判定された当該セッション（通信が完了している当該セッション）の優先度が低い場合、すなわち優先度が「非優先」（図８参照）のセッションに該当する場合に行われる。したがって、Ｓ５３〜Ｓ５６の処理は、トラヒックがないと判定された当該セッションよりも優先度の高いセッションの存在を前提にしている。以上の処理は、セッション毎に行われる。
【００５９】
切替制御部２０６は、通知された管理番号のセッションについて、中継部２０２，２０３を介して、ＴＣＰ−ＲＳＴパケットをサーバ１および受信端末７の双方に送信し、ＴＣＰリセットして当該セッションを切断し、さらに、選択ポリシーＤＢ２１０の選択ポリシーテーブルにおいて当該セッションを通信に使用していた受信端末７およびその通信種別に対する「選択無線アクセス回線」の設定を当該無線アクセス回線から別の無線アクセス回線に変更する更新をする（Ｓ５６）。この際、切替先の無線アクセス回線の通信状態が良好なことが望ましいが、これについては実施の形態４で説明する。切替判断部２０５は、当該セッションをセッションＤＢ２０９−１の管理対象より削除する（Ｓ５６）。
【００６０】
以上のような処理を実施することにより、無線アクセス回線内に複数の通信セッションが存在し、その中で優先度の高い通信のセッションと優先度の低い通信のセッションが存在していた場合において、優先度の低いセッションに対してクライアントからのアクセス要求が行なわれた場合でも、優先度の高い通信に影響を及ぼすことがない。
【００６１】
なお、本実施の形態のその他の動作等は、実施の形態１，２と同様である。また、本実施の形態と、実施の形態１または２を組み合わせることもできる。本実施の形態のその他の効果は、実施の形態１，２と同様である。
【００６２】
実施の形態４．
実施の形態３では、セッション毎の優先度によりセッションの切替を行う場合について説明したが、本実施の形態では、複数ある無線アクセス回線のそれぞれの通信帯域使用量の状態に基づいてセッションの切替判断を行なう場合について説明する。なお、本実施の形態の構成は、実施の形態３と同様である。
【００６３】
本実施の形態に係る無線中継装置６による選択切替処理を説明する。なお、図４のＳ４１〜Ｓ４４までの処理は、本実施の形態でも同様であるので説明を省略する。Ｓ４４以降の処理は、図６−２に示す処理に従う。図６−２は、本実施の形態において図４に続く処理を示すフローチャートである。
【００６４】
図６−２において、Ｓ５１，Ｓ５２の各処理は、図６−１と同様であるので同一の符号を付してその詳細な説明を省略する。次に、Ｓ５３−１では、切替判断部２０５は、セッションＤＢ２０９−１にて管理しているＴＣＰセッション毎に、一定時間内のトラヒック量を算出することにより通信帯域を推定し、さらに、セッション毎にどの無線アクセス回線を使用しているのかを判定し、同じ無線アクセス回線の通信帯域を加算することにより、無線アクセス回線毎の通信帯域使用量を推定する。
【００６５】
次に、切替判断部２０５は、例えば無線アクセス回線Ａ２（切替先）の通信帯域使用量が、所定のレベル（ここでは、設定変更可能な固定値Ｅ（ｋｂｐｓ）とする）より小さく、かつ、無線アクセス回線Ａ１（切替元）の通信帯域使用量が、所定のレベル（ここでは、設定変更可能な固定値Ｆ（ｋｂｐｓ）とする）より大きい場合（Ｓ５４−１，Ｙｅｓ）、切替元の無線アクセス回線Ａ１の通信帯域には余裕が少ないが、切替先の無線アクセス回線Ａ２通信帯域には余裕があり、切替を実施しても切替先の通信を圧迫しないと判断して、切替処理を継続（すなわち、Ｓ５５以降の処理を実施）する。なお、Ｓ５５，Ｓ５６の各処理は、図６−１と同様であるので同一の符号を付してその詳細な説明を省略する。また、切替判断部２０５は、それ以外の場合（Ｓ５４−１，Ｎｏ）は、切替先の無線アクセス回線Ａ２の通信帯域に余裕が少なく、または、切替元の無線アクセス回線Ａ１の通信帯域には余裕があるので、切替処理を行わない。
【００６６】
本実施の形態によれば、切替先の無線アクセス回線Ａ２と切替元の無線アクセス回線Ａ１のそれぞれの通信帯域使用量を考慮して切替を行うようにしているので、切替先の通信に及ぼす影響を低減することができる。なお、本実施の形態のその他の効果は、実施の形態３と同様である。また、本実施の形態と、実施の形態３を組み合わせることもできる。例えば、実施の形態３で切替判断部２０５が切替を判断した場合において、切替先の無線アクセス回線を選択する際に本実施の形態を適用することができる。
【産業上の利用可能性】
【００６７】
以上のように、本発明は、サーバと受信端末との間の通信を中継する無線中継装置および無線中継方法に有用である。
【符号の説明】
【００６８】
１     サーバ
３     ゲートウェイ
４     無線システム
５−１，５−２     無線ネットワーク
６     無線中継装置
６−１，６−２       無線インターフェース
６−３ 選択切替部
７     受信端末
２０２，２０３       中継部
２０４ 優先度管理部
２０５ 切替判断部
２０６ 切替制御部
２０７ トラヒック監視部
【図１】
0005574944.tif 000002
【図２】
0005574944.tif 000003
【図３】
0005574944.tif 000004
【図４】
0005574944.tif 000005
【図５−１】
0005574944.tif 000006
【図５−２】
0005574944.tif 000007
【図６−１】
0005574944.tif 000008
【図６−２】
0005574944.tif 000009
【図７】
0005574944.tif 000010
【図８】
0005574944.tif 000011
【図９】
0005574944.tif 000012
【図１０】
0005574944.tif 000013